(57)【特許請求の範囲】
【請求項１】
音源と、
前記音源が固定されたバッフル板であって、前記音源から前記バッフル板の端辺上の基準点までの距離Ｄを（３＋４ｍ）（ｍは正の整数）等分した値ＤＤを次式（１）に代入して求まる距離ＤDIP（ｋ）だけ前記音源から離れた同心円を前記バッフル板上に描いた場合における各同心円に挟まれた環状領域のうち内側から奇数番目の環状領域と、前記距離Ｄを（１＋４ｎ）（ｎは正の整数）等分した値ＤＰを次式（２）に代入して求まる距離ＤPEAK（ｉ）だけ前記音源から離れた同心円を前記バッフル板上に描いた場合における各同心円に挟まれた環状領域のうち内側から偶数番目の環状領域との重複領域に孔が設けられているバッフル板と
を具備することを特徴とするスピーカ。
ＤDIP（ｋ）＝ＤＤ（１＋２（ｋ−１））（ｋ＝１，２…）…（１）
ＤPEAK（ｉ）＝ＤＰ（１＋４（ｉ−１））（ｉ＝１，２…）…（２）
【請求項２】
前記重複領域に設けられた孔が、前記バッフル板の固定されたスピーカのエンクロージャの内部の空間に連通していることを特徴とする請求項１に記載のスピーカ。
【請求項３】
前記端辺は、上下方向に対向する上辺及び下辺と、左右方向に対向する左辺及び右辺の４つの辺を含み、前記基準点は、前記上辺上における前記音源から最も近い点、前記下辺上における前記音源から最も近い点、前記左辺上における前記音源から最も近い点、前記右辺上における前記音源から最も近い点のいずれかであることを特徴とする請求項１または２に記載のスピーカ。
【請求項４】
音源と、
前記音源が固定されたバッフル板であって、前記音源から前記バッフル板の端辺上の基準点までの距離Ｄを（３＋４ｍ）（ｍは正の整数）等分した値ＤＤを次式（３）に代入して求まる距離ＤDIP（ｋ）だけ前記音源から離れた同心円を前記バッフル板上に描いた場合における各同心円に挟まれた環状領域のうち内側から奇数番目の環状領域と、前記距離Ｄを（１＋４ｎ）（ｎは正の整数）等分した値ＤＰを次式（４）に代入して求まる距離ＤPEAK（ｉ）だけ前記音源から離れた同心円を前記バッフル板上に描いた場合における各同心円に挟まれた環状領域のうち内側から偶数番目の環状領域との重複領域に前記バッフル板における他の領域と反射特性の異なる領域を形成したバッフル板と
を具備することを特徴とするスピーカ。
ＤDIP（ｋ）＝ＤＤ（１＋２（ｋ−１））（ｋ＝１，２…）…（３）
ＤPEAK（ｉ）＝ＤＰ（１＋４（ｉ−１））（ｉ＝１，２…）…（４）
【発明の詳細な説明】
【技術分野】
【０００１】
本発明は、スピーカの音響特性を好適化する技術に関する。
【背景技術】
【０００２】
スピーカの中には、箱状の部材をエンクロージャとし、このエンクロージャの前面をなす板に１乃至複数個のスピーカユニットを各々の放音面をスピーカの前方に向けて固定したものがある。この種のスピーカにおけるスピーカユニットが固定された板はバッフル板と呼ばれる。この種のスピーカでは、スピーカユニットから前方に向けて放射された音の回折音がバッフル板の各点で反射し、各点の反射音が前方に向けて再放射される。この結果、スピーカの前方の各受聴点には、スピーカユニットから放射された直接音の他に、スピーカユニットから前方に向けて放射された後、回折し、バッフル板の各点での反射を経て再放射された音が届く。このため、スピーカユニットから各受聴点までの音響伝達系の周波数応答にピークやディップが発生して音響特性が悪化する場合がある。特許文献１には、この問題の解決を意図して案出された技術の開示がある。同文献に開示されたスピーカシステムは、エンクロージャの前面バッフルにおけるスピーカユニットの周囲に吸音部材を貼付したものである。このスピーカシステムでは、スピーカユニットから側方に回折した音波が前面バッフルの吸音部材によって吸収され、前方に反射される反射音の音圧が小さくなる。よって、この技術によると、前方の受聴点における音響特性の悪化が防止される。
【先行技術文献】
【特許文献】
【０００３】
【特許文献１】特開２００９−９４７０６号公報
【発明の概要】
【発明が解決しようとする課題】
【０００４】
しかしながら、特許文献１の技術の場合、スピーカユニットの周囲に吸音部材を貼付する分だけ製造コストが高くなるという問題がある。本発明は、このような課題に鑑みてなされたものであり、スピーカのバッフル板の反射音の影響による音響特性の悪化を軽減する技術的手段を提供することを目的とする。
【課題を解決するための手段】
【０００５】
本発明は、音源と、前記音源が固定されたバッフル板であって、前記音源から前記バッフル板の端辺上の基準点Ｚまでの距離Ｄを（３＋４ｍ）（ｍは正の整数）等分した値ＤＤを次式（１）に代入して求まる距離ＤDIP（ｋ）だけ前記音源から離れた同心円を前記バッフル板上に描いた場合における各同心円に挟まれた環状領域のうち内側から奇数番目の環状領域と、前記距離Ｄを（１＋４ｎ）（ｎは正の整数）等分した値ＤＰを次式（２）に代入して求まる距離ＤPEAK（ｉ）だけ前記音源から離れた同心円を前記バッフル板上に描いた場合における各同心円に挟まれた環状領域のうち内側から偶数番目の環状領域との重複領域に孔が設けられているバッフル板とを具備するスピーカを提供する。
ＤDIP（ｋ）＝ＤＤ（１＋２（ｋ−１））（ｋ＝１，２…）…（１）
ＤPEAK（ｉ）＝ＤＰ（１＋４（ｉ−１））（ｉ＝１，２…）…（２）
【０００６】
本発明は、本願発明者らが行った以下の考察に基づいてなされたものである。まず、発明者らは、図６に示すように、スピーカから音を放射した場合におけるバッフル板上の物理現象を解析するためのモデルとして直径Ｄ１（Ｄ１＝６１０ｍｍ）の真円状のバッフル面ＢＦを採用し、このバッフル面ＢＦの中心Ａを音の放射点とし、放射点Ａから前方に１０００ｍｍだけ離れた点を受聴点Ｚ１とし、放射点Ａから受聴点Ｚ１までの音響伝達系の周波数応答ＲＢＦを計算した。図７は、周波数応答ＲＢＦを示す図である。この周波数応答ＲＢＦでは、４３０Ｈｚ、１４００Ｈｚ、２４００Ｈｚ、及び３３９０Ｈｚの付近にピークが現れており、９６０Ｈｚ、１９００Ｈｚ、２９００Ｈｚ、及び３８９０Ｈｚの付近にディップが現れている。
【０００７】
発明者らは、このようなピークやディップが周波数応答ＲＢＦに生じる原因を調べるために、周波数応答ＲＢＦにおけるディップに該当する周波数（以下、ディップ周波数）の音とピークに該当する周波数（以下、ピーク周波数）の音を放射点Ａから放射した場合にバッフル面ＢＦ上の各点の反射音によって受聴点Ｚ１に発生する音圧を境界要素法により定量化することを考えた。すなわち、図８に示すように、バッフル面ＢＦを格子状に分割した各矩形領域を各々境界要素法の要素Ｅとし、受聴点Ｚ１の音圧Ｐ（ｑ）を次式により算出するのである。
【数１】
0005780161.tif 000002
この式（３）におけるｐは要素Ｅの中心の位置ベクトルである。ｑは受聴点Ｚ１の位置ベクトルである。Ｐ（ｐ）は要素Ｅにおける音圧である。Ｖは粒子速度である。Ｓは要素Ｅの面積である。また、Ｇ（ｐ，ｑ）はグリーン関数である。このＧ（ｐ，ｑ）は次式により与えられる。ｄＧ（ｐ，ｑ）／ｄｎはグリーン関数Ｇ（ｐ，ｑ）の要素Ｅの法線方向の微分である。
【数２】
0005780161.tif 000003
この式（４）におけるｒは要素Ｅの位置ベクトルｐと受聴点Ｚ１の位置ベクトルｑとの間の距離である。
【０００８】
しかしながら、上記式（３）に従って受聴点Ｚ１に発生する音圧Ｐ（ｑ）を演算するとなると、膨大な演算量が必要になる。そこで、発明者らは、次のようにして受聴点Ｚ１に発生する音圧Ｐ（ｑ）を検討した。まず、発明者らは、バッフル面ＢＦの中心Ａから外周に向って引いた直線ＤＭ上の各点の反射音の音圧を求めた。図９（ａ）に示す波形Ｗａは、ディップ周波数の音（３８９０Ｈｚの音）をバッフル面ＢＦの中心Ａから放射した場合の直線ＤＭ上の各点の反射音の音圧を示すものである。また、図１０（ａ）に示す波形Ｗａは、ピーク周波数の音（３３９０Ｈｚの音）をバッフル面ＢＦの中心Ａから放射した場合の直線ＤＭ上の各点の反射音の音圧を示すものである。この図９（ａ）および図１０（ａ）において、横軸ｘは直線ＤＭを示しており、バッフル面ＢＦの中心Ａのｘ座標値を０としている。また、縦軸は音圧である。後述する図９（ｂ）、図１０（ｂ）、図９（ｃ）、図１０（ｃ）についても同様である。
【０００９】
次に、発明者らは、バッフル面ＢＦの中心Ａから放射した場合の距離を同じくする各点に到達する回折音の音圧は略同じであることに着目し、図９（ａ）および図１０（ａ）において、各ｘ座標値に対応した音圧に対して、２πｘを乗算した音圧を算出した。図９（ｂ）および図１０（ｂ）に示す音圧（波形Ｗｂ）は、この２πｘ乗算後の音圧を示すものである。この図９（ｂ）および図１０（ｂ）において、各ｘ座標値に対応した音圧は、バッフル面ＢＦの中心Ａを中心とする半径ｘの円周上の各点に発生する反射音の音圧の総和ＳＵＭＣＩＲを示している。バッフル面ＢＦにおいて発生する全反射音が受聴点Ｚ１に発生させる音圧は、バッフル面ＢＦの中心Ａからバッフル面ＢＦの端部までの各位置（ｘ座標値）について半径ｘの円周上に発生する全反射音の音圧の総和ＳＵＭＣＩＲを求めて加算したもの、すなわち、バッフル面ＢＦの中心Ａからバッフル面ＢＦの端部に向けて音圧ＳＵＭＣＩＲを積分した積分値ＳＵＭＲＡＤに依存する。図９（ｃ）および図１０（ｃ）に示す波形Ｗｃは、ｘ座標値とｘ＝０から各ｘ座標値までの音圧ＳＵＭＣＩＲの積分値との関係を示すものである。
【００１０】
発明者らは、図９（ｂ）および図１０（ｂ）に示す音圧ＳＵＭＣＩＲの波形Ｗｂについて、ディップ周波数の音とピーク周波数の音の両方に共通する特徴、ディップ周波数の音にのみ共通する特徴、ピーク周波数の音にのみ共通する特徴として以下のものがあることを確認した。
ａ１．ディップ周波数の音とピーク周波数の音の両方に共通する特徴
・バッフル面ＢＦの中心Ａにおける振幅が最大となっている。
・バッフル面ＢＦの周縁における振幅が０になっている。
・バッフル面ＢＦの中心Ａと中心Ａから該当音の１／４波長分だけ周縁側の点との間の区間Ｆａにおいて振幅が最大値から０まで減少している。
・バッフル面ＢＦにおける中心Ａから該当音の１／４波長分だけ周縁側の点と周縁との間の区間Ｆｂでは、略同じ振幅の絶対値をもった正負のピークが該当音の半波長分の間隔をあけて交互に現れている。
ｂ１．ディップ周波数の音にのみ共通する特徴
・区間Ｆｂ内における負のピークの出現数は正のピークの出現数よりも１つ多い。
ｃ１．ピーク周波数の音にのみ共通する特徴
・区間Ｆｂ内における正のピークの出現数と負のピークの出現数が同数である。
【００１１】
これらの特徴ａ１、ｂ１、ｃ１から、発明者らは、スピーカの音源からディップ周波数やピーク周波数の音を放音した場合に受聴点Ｚ１において次のような物理現象が発生すると推測した。
ａ２．ディップ周波数の音を放射した場合
この場合、図１１の例に示すように、ディップ周波数の音の１つの波長をλDIPとし、スピーカのバッフル板ＰＬＴに音源Ｃから距離λDIP／４＋λDIP／２×（ｍ−１）（ｍ＝１〜Ｍ）（Ｍは波形Ｗｂのゼロクロス点の数）（図１１の例ではＭ＝６）だけ離れた同心円ＷＤ（ｍ）（ｍ＝１〜６）を描いた場合における円ＷＤ（１）と円ＷＤ（２）、円ＷＤ（２）と円ＷＤ（３）、円ＷＤ（３）と円ＷＤ（４）、円ＷＤ（４）と円ＷＤ（５）、円ＷＤ（５）と円ＷＤ（６）に各々挟まれた環状領域を領域ＡＲＭ（１）〜ＡＲＭ（５）とすると、領域ＡＲＭ（１）〜ＡＲＭ（５）の各々における反射音の音圧の総計ＳＵＭＣＩＲの絶対値｜ＳＵＭＣＩＲ｜は略同じになる。よって、この場合、領域ＡＲＭ（１）から放射された反射音の負の音圧と領域ＡＲＭ（２）から放射された反射音の正の音圧、及び領域ＡＲＭ（３）から放射された反射音の負の音圧と領域ＡＲＭ（４）から放射された反射音の正の音圧が受聴点Ｚ１において相殺し合う。従って、この場合、領域ＡＲＭ（１）の内側の領域ＡＲＭ（０）から放射された直接音及び反射音の正の音圧とバッフル板ＰＬＴの端部の近傍の領域ＡＲＭ（５）から放射された反射音の負の音圧とを加算した音圧が受聴点Ｚ１に作用する。この結果、受聴点Ｚ１における音圧が極小（ディップ）になる。
【００１２】
ｂ２．ピーク周波数の音を放射した場合
この場合、図１２の例に示すように、ピーク周波数の音の波長をλPEAKとし、スピーカのバッフル板ＰＬＴ上に音源Ｃから距離λPEAK／４＋λPEAK／２×（ｎ−１）（ｎ＝１〜Ｎ）（Ｎは波形Ｗｂのゼロクロス点の数）（図１２の例ではＮ＝５）だけ離れた同心円ＷＰ（ｎ）（ｎ＝１〜４）を描いた場合における円ＷＰ（１）と円ＷＰ（２）、円ＷＰ（２）と円ＷＰ（３）、円ＷＰ（３）と円ＷＰ（４）に各々挟まれた環状領域を領域ＡＲＮ（１）〜ＡＲＮ（４）とすると、領域ＡＲＮ（１）〜ＡＲＮ（４）の各々における反射音の音圧の総計ＳＵＭＣＩＲの絶対値｜ＳＵＭＣＩＲ｜は略同じになる。よって、この場合、領域ＡＲＮ（１）から放射された反射音の負の音圧と領域ＡＲＮ（２）から放射された反射音の正の音圧、及び領域ＡＲＮ（３）から放射された反射音の負の音圧と領域ＡＲＮ（４）から放射された反射音の正の音圧が受聴点Ｚ１において相殺し合う。従って、この場合、領域ＡＲＮ（１）の内側の領域ＡＲＮ（０）から放射された直接音及び反射音の正の音圧だけが受聴点Ｚ１に作用する。この結果、受聴点Ｚ１における正の音圧が極大（ピーク）になる。
【００１３】
以上が、発明者らが行った考察である。本発明では、前掲式（１）により求まる距離ＤDIP（ｋ）だけ音源から離れた同心円をバッフル板上に描いた場合における各同心円に挟まれた環状領域のうち内側から奇数番目の環状領域と前掲式（２）により求まる距離ＤPEAK（ｉ）だけ音源から離れた同心円をバッフル板上に描いた場合における各同心円に挟まれた環状領域のうち内側から偶数番目の環状領域との重複領域に孔が設けられている。
【００１４】
ここで、図１３の例に示すように、バッフル板ＰＬＴにおける音源Ｃから端辺上の基準点Ｚ（図１３の例では、バッフル板ＰＬＴの右辺ＲＳにおける音源Ｃと同じ高さの点）までの距離Ｄを（３＋４ｍ）（図１１の例では、ｍ＝２）等分した値ＤＤは、ｍ次のディップ周波数の音の波長λDIPの１／４に相当するから、この値ＤＤを（１＋２（ｋ−１））倍した距離ＤDIP（ｋ）だけ音源Ｃから離れた各同心円ＷＰ（ｋ）は、ｍ次のディップ周波数の音を放射した場合における反射音の音圧の総計ＳＵＭＣＩＲの絶対値｜ＳＵＭＣＩＲ｜が略同じになる環状領域の境界と一致する。また、図１４に示すように、バッフル板ＰＬＴにおける音源Ｃから端辺上の基準点Ｚ（図１４の例では、バッフル板ＰＬＴの左辺ＬＳにおける音源Ｃと同じ高さの点）までの距離Ｄを（１＋４ｎ）（図１２の例では、ｎ＝２）等分した値ＤＰは、ｎ次のピーク周波数の音の波長λPEAKの１／４に相当するから、この値ＤＰを（１＋４（ｉ−１））倍した距離ＤPEAK（ｉ）だけ音源Ｃから離れた各同心円ＷＰ（ｉ）は、ｎ次のピーク周波数の音を放射した場合における反射音の音圧の総計ＳＵＭＣＩＲの絶対値｜ＳＵＭＣＩＲ｜が略同じになる環状領域の境界と一致する。
【００１５】
そして、本発明では、バッフル板において前掲式（１）により求まる奇数番目の環状領域と前掲式（２）により求まる偶数番目の環状領域との重複領域に孔ＨＬが設けられている。このため、音源Ｃがディップ周波数の音を放射した場合、バッフル板ＰＬＣ上における音源Ｃの周りの領域ＡＲＭ（１）〜ＡＲＭ（５）のうち孔ＨＬのある領域からは負の音圧を持った反射音が放射されるが、この領域から放射される反射音の音圧の総和ＳＵＭＣＩＲの絶対値｜ＳＵＭＣＩＲ｜は孔ＨＬの面積の分だけ小さくなる。この結果、受聴点Ｚ１に作用する音圧は全体として正の方向に変化し、該当周波数におけるディップの急峻さが緩和される。また、音源Ｃがピーク周波数の音を放射した場合、バッフル板ＰＬＣ上における音源Ｃの周りの領域ＡＲＮ（１）〜ＡＲＮ（４）のうち孔ＨＬのある領域からは正の音圧を持った反射音が放射されるが、この領域から放射される反射音の音圧の総和ＳＵＭＣＩＲの絶対値｜ＳＵＭＣＩＲ｜は孔ＨＬの面積の分だけ小さくなる。この結果、受聴点Ｚ１に作用する音圧は全体として負の方向に変化し、該当周波数におけるピークの急峻さが緩和される。
【図面の簡単な説明】
【００１６】
【図１】本発明の一実施形態であるスピーカの正面図及び右側面図である。
【図２】同スピーカのバッフル板上における孔の位置を示す図である。
【図３】同スピーカの効果の検証のために求めた周波数応答を示す図である。
【図４】本発明の他の実施形態であるスピーカの正面図である。
【図５】本発明の他の実施形態であるスピーカの正面図である。
【図６】本発明の発明者らの考察において採用したバッフル面ＢＦを示す図である。
【図７】バッフル面ＢＦの受聴点における周波数応答を示す図である。
【図８】バッフル面ＢＦを分割した各要素Ｅを示す図である。
【図９】本発明の発明者らの考察において作成した波形を示す図である。
【図１０】本発明の発明者らの考察において作成した波形を示す図である。
【図１１】バッフル面上の物理現象を説明するための図である。
【図１２】バッフル面上の物理現象を説明するための図である。
【図１３】本発明の効果を説明するための図である。
【図１４】本発明の効果を説明するための図である。
【発明を実施するための形態】
【００１７】
以下、図面を参照し、この発明の実施の形態を説明する。
図１（ａ）は、本発明の一実施形態であるスピーカＳＰ１の正面図である。図１（ｂ）は、スピーカＳＰ１の右側面図である。このスピーカＳＰ１は、当該スピーカＳＰ１における１次ディップ及び１次ピークの急峻さを緩和するものである。このスピーカＳＰ１は、エンクロージャ１０とスピーカユニット１１を有する。エンクロージャ１０は、上下幅Ｈ（例えば、Ｈ＝１０００ｍｍとする）、左右幅Ｗ（例えば、Ｗ＝５２０ｍｍとする）、及び奥行き幅Ｌ（例えば、Ｌ＝４８０ｍｍとする）の寸法を持った直方体状をなしている。
エンクロージャ１０にはバッフル板１４が設けられている。このバッフル板１４の前面は、上下幅方向に対向する上辺ＵＳ及び下辺ＤＳと左右幅方向に対向する左辺ＬＳおよび右辺ＲＳの４つの端辺に囲まれた長方形状をなしている。バッフル板１４の前面の中央上部にはスピーカユニット１１が固定されている。スピーカユニット１１は、オーディオ装置の出力信号を音として放射する音源としての役割を果たす。
【００１８】
このスピーカＳＰ１では、バッフル板１４上における次の２つの条件を満たす位置に楕円状の孔１５１が設けられている。
ａ３.条件１
スピーカユニット１１からバッフル板１４の端辺上の基準点Ｚまでの距離Ｄを（３＋４ｍ）（ｍは正の整数）等分した値ＤＤを前掲式（１）に代入して求まる距離ＤDIP（ｋ）だけスピーカユニット１４から離れた同心円ＷＤ（ｋ）（ｋ＝１，２…）をバッフル板１４上に描いた場合における円ＷＤ（ｋ）及びＷＤ（ｋ＋１）に挟まれた環状領域ＡＲＭ（ｋ）（ｋ＝１，２…）のうち内側から奇数番目の領域内であること（図２（ａ）において矢印を付した環状領域を参照）
ｂ３．条件２
スピーカユニット１１からバッフル板１１の端辺上の基準点Ｚまでの距離Ｄを（１＋４ｎ）（ｎは正の整数）等分した値ＤＰを前掲式（２）に代入して求まる距離ＤPEAK（ｉ）だけスピーカユニット１４から離れた同心円ＷＰ（ｉ）（ｉ＝１，２…）をバッフル板１４上に描いた場合における円ＷＰ（ｉ）及びＷＰ（ｉ＋１）に挟まれた環状領域ＡＲＮ（ｉ）（ｉ＝１，２…）のうち内側から偶数番目の領域内であること（図２（ｂ）において矢印を付した環状領域を参照）
【００１９】
ここで、図２（ａ）及び図２（ｂ）に示すように、このスピーカＳＰ１では、基準点Ｚをバッフル板１４の右辺ＲＳにおけるスピーカユニット１１から最も近い点とした場合にバッフル板１４上に描かれる領域ＡＲＭ（ｋ）（ｋ＝１，２…）のうち内側から３番目の領域ＡＲＭ（３）と、この場合にバッフル１４上に描かれる領域ＡＲＮ（ｉ）（ｉ＝１，２…）のうち内側から２番目の領域ＡＲＮ（２）との重複領域に孔１５１が設けられている。よって、このスピーカＳＰ１における孔１５１の位置は条件１及び２の両方を満たす。
【００２０】
以上が、本実施形態の構成の詳細である。本実施形態では、１次ディップの周波数ｆ１DIPの音を放射した場合、スピーカユニット１１の周りの領域ＡＲＭ（ｋ）（ｋ＝１，２…）のうち孔１５１のある領域ＡＲＭ−３からは負の音圧を持った反射音が放射されるが、領域ＡＲＭ（３）から放射される反射音の音圧の総和ＳＵＭＣＩＲの絶対値｜ＳＵＭＣＩＲ｜は孔１５１の面積の分だけ小さくなる。このため、受聴点に作用する音圧は全体として正の方向に変化し、周波数ｆ１DIPにおけるディップの急峻さが緩和される。また、１次ピークの周波数ｆ１PEAKの音を放射した場合、スピーカユニット１１の周りの領域ＡＲＮ（ｉ）（ｉ＝１，２…）のうち孔１５１のある領域ＡＲＮ（２）からは正の音圧を持った反射音が放射されるが、領域ＡＲＮ（２）から放射される反射音の音圧の総和ＳＵＭＣＩＲの絶対値｜ＳＵＭＣＩＲ｜は孔１５１の面積の分だけ小さくなる。この為、受聴点に作用する音圧は全体として負の方向に変化し、周波数ｆ１PEAKにおけるピークの急峻さが緩和される。
【００２１】
ここで、本願発明者らは、本実施形態の効果を確認するため、次のような検証を行った。本願発明者らは、スピーカＳＰ１のスピーカユニット１１から１０００ｍｍだけ前方に離れた点を受聴点Ｚ２とし、スピーカＳＰ１から受聴点Ｚ２までの音響伝達系の周波数応答ＲＳＰ１を計算した。また、スピーカＳＰ１のバッフル板１４の孔１５１を無くしたものをスピーカＳＰ１’とし、スピーカＳＰ１’から受聴点Ｚ２までの音響伝達系の周波数応答ＲＳＰ１’を計算した。図３は、周波数応答ＲＳＰ１及びＲＳＰ１’を周波数軸を揃えて示したものである。この図３の周波数応答ＲＳＰ１及びＲＳＰ１’では、９８０Ｈｚに１次ディップが現れており、１６３５Ｈｚに１次ピークが現れている。そして、周波数応答ＲＳＰ１における１次ディップの音圧は周波数応答ＲＳＰ１’における１次ディップの音圧よりも大きくなっている。また、周波数応答ＲＳＰ１における１次ピークの音圧は周波数応答ＲＳＰ１’における１次ピークの音圧よりも小さくなっている。このことから、本実施形態によると、スピーカＳＰ１から前方の各受聴点までの音響伝達系の周波数応答における１次ディップ及び１次ピークの急峻さが緩和されることが確認された。
【００２２】
＜他の実施形態＞
以上、この発明の実施形態を説明したが、この発明には、他にも各種の実施形態が考えられる。例えば、以下の通りである。
（１）上記実施形態において、バッフル板１４における上述した重複領域の孔１５１をバッフル板１４の固定されたスピーカのエンクロージャ１０の内部の空間と連通させることにより、孔１５１をバスレフポートとして機能させてもよい。
【００２３】
（２）上記実施形態では、エンクロージャ１０の上下幅Ｈ、左右幅Ｗ、及び奥行き幅Ｌは、Ｈ＝１０００ｍｍ、Ｗ＝５２０ｍｍ、Ｌ＝４８０ｍｍとなっていた。しかし、エンクロージャ１０の上下幅Ｈ、左右幅Ｗ、及び奥行き幅Ｌを上記各実施形態と異なる寸法としてもよい。
【００２４】
（３）上記実施形態では、バッフル板１４の重複領域における孔１５１は楕円状をなしていた。しかし、この孔１５１を、楕円でない形状（真円、長方形、三角形など）にしてもよい。また、孔の個数や位置を上記実施形態と異なるものにしてもよい。図４（ａ）は、この変形例であるスピーカＳＰ２の正面図である。図４（ｂ）は、スピーカＳＰ２の右側面図である。このスピーカＳＰ２では、バッフル板１４の中央にスピーカユニット１２が設けられている。また、このスピーカＳＰ２では、バッフル板１４におけるスピーカユニット１２の上下に孔１５２Ｕおよび１５２Ｄが設けられている。また、バッフル板１４におけるスピーカユニット１１の左右に孔１５２Ｌおよび１５２Ｒが設けられている。これらの孔の位置は前記条件１および２の両方を満たした位置である。つまり、前記条件１および２の両方を満たしていれば、孔の形や位置は問わない。
【００２５】
（４）上記実施形態では、スピーカユニットの個数を２個以上にしてもよい。図５（ａ）は、この変形例であるスピーカＳＰ２の正面図である。図５（ｂ）は、スピーカＳＰ２の右側面図である。このスピーカＳＰ２では、バッフル板１４の中央にスピーカユニット１３および１４が上下に並べて設けられている。このスピーカＳＰ２では、バッフル板１４におけるスピーカユニット１３の左右に孔１５３Ｌおよび１５３Ｒが設けられており、孔１５３Ｌおよび１５３Ｒはスピーカユニット１３に対して前記条件１および２の両方を満たす領域内に設けられている。また、このスピーカＳＰ２では、バッフル板１４におけるスピーカユニット１４の左右に孔１５４Ｌおよび１５４Ｒが設けられており、孔１５４Ｌおよび１５４Ｒはスピーカユニット１４に対して前記条件１および２の両方を満たす領域内に設けられている。
【００２６】
（５）上記実施形態において、基準点Ｚをバッフル板１４の左辺ＬＳにおけるスピーカユニット１１から最も近い点としてもよい。また、基準点Ｚをバッフル板１４の上辺ＵＳにおけるスピーカユニット１１から最も近い点としてもよいし、バッフル板１４の下辺ＤＳにおけるスピーカユニット１１から最も近い点としてもよい。また、バッフル板の形状が円形や三角形等の場合はスピーカユニットから最も近いバッフル板の端辺上の点を基準点Ｚとすればよい。
【００２７】
（６）上記実施形態では、バッフル板１４の孔１５１は同板１４の表裏面間を貫いていた。しかし、孔１５１の代わりに凸部や凹部、吸音部材を設けてもよい。要するに、バッフル
１４における上述した重複領域内にバッフル板１４そのものと反射特性が異なる部分があればよい。この態様の特徴を概念的に示すと、「音源と、前記音源が固定されたバッフル板であって、前記音源から前記バッフル板の端辺上の基準点までの距離Ｄを（３＋４ｍ）（ｍは正の整数）等分した値ＤＤを前掲式（１）に代入して求まる距離ＤDIP（ｋ）だけ前記音源から離れた同心円を前記バッフル板上に描いた場合における各同心円に挟まれた環状領域のうち内側から奇数番目の環状領域と、前記距離Ｄを（１＋４ｎ）（ｎは正の整数）等分した値ＤＰを前掲式（２）に代入して求まる距離ＤPEAK（ｉ）だけ前記音源から離れた同心円を前記バッフル板上に描いた場合における各同心円に挟まれた環状領域のうち内側から偶数番目の環状領域との重複領域に前記バッフル板における他の領域と反射特性の異なる領域を形成したバッフル板とを具備するスピーカ。」となる。
【符号の説明】
【００２８】
１０…エンクロージャ、１１，１２，１３，１４…スピーカユニット、１４…バッフル板、１５１，１５２，１５３，１５４…孔。
【図１】
0005780161.tif 000004
【図２】
0005780161.tif 000005
【図３】
0005780161.tif 000006
【図４】
0005780161.tif 000007
【図５】
0005780161.tif 000008
【図６】
0005780161.tif 000009
【図７】
0005780161.tif 000010
【図８】
0005780161.tif 000011
【図９】
0005780161.tif 000012
【図１０】
0005780161.tif 000013
【図１１】
0005780161.tif 000014
【図１２】
0005780161.tif 000015
【図１３】
0005780161.tif 000016
【図１４】
0005780161.tif 000017